(57)【要約】【課題】  簡易な構成で空調風中の細菌を含んだ微粒子や花粉などの微粒子を捕集して室内に拡散する空気の汚れを低減し、かつ、エアコンへの負担のない微粒子除去装置を提供する。【解決手段】  表面に粘着層１０３を有する微粒子捕集基材１０２と、ステー部１０４と、微粒子捕集基材１０２をステー部１０４を介してエアコンＡの吹出口Ｂの近傍に定置するようエアコンＡに固着可能なベース部１０７とからなり、ステー部１０４は、一端において微粒子捕集基材１０２、更に微粒子捕集基材１０２を担持し、吹出口Ｂから吹き出される気流Ｃの風向を調整する風向調整板１０８を軸支し、他端においてベース部１０７を軸支する。【選択図】  図５
0003228268.tif 000002
【実用新案登録請求の範囲】
【請求項１】
表面に粘着層を有する微粒子捕集基材と、ステー部と、前記微粒子捕集基材をステー部を介してエアコンの吹出口の近傍に定置するよう前記エアコンに固着可能なベース部とからなり、前記ステー部は、一端において前記微粒子捕集基材を軸支し、他端において前記ベース部を軸支することを特徴とするエアコンの微粒子除去装置。
【請求項２】
前記微粒子捕集基材を担持し、前記吹出口から吹き出される気流の風向を調整する風向調整板を更に備え、前記ステー部は、一端において前記風向調整板を軸支し、他端において前記ベース部を軸支することを特徴とする請求項１に記載のエアコンの微粒子除去装置。
【請求項３】
前記ステー部と前記ベース部との軸支部は、回動抑制構造を有することを特徴とする請求項１又は２に記載のエアコンの微粒子除去装置。
【請求項４】
前記微粒子捕集基材は、前記エアコンの既設のフラップに設置することを特徴とするエアコンの微粒子除去装置。
【考案の詳細な説明】
【技術分野】
【０００１】
本考案は、エアコンの微粒子除去装置に関する。
【背景技術】
【０００２】
エアコン（エアコンディショナー）から吹き出されている空気は、エアコンが室内の空気を吸い込んで、熱交換器で冷媒から冷温熱を受け取って室内に吹き出しているものである。このため、空気中の埃のほか埃に付着した細菌やウィルス、花粉等の微粒子を吸い込み、室内に拡散することになる（図１）。この構造では、エアコン内部にも汚れが溜まってしまうため、プレフィルターを装着し、汚れの原因となる埃がエアコン内部に入らないようになっているが、プレフィルターは開口部の目開きが０．５ｍｍほどの大きさのため、埃などの大きな粒子Ｐは捕集できても、花粉などの小さな粒子ｄは捕集することができず、一部はエアコン内部に付着し、残りは室内へ拡散される（図１）。
【０００３】
この問題を改善するために、特許文献１に記載の考案は、空調機の吸気口に加えて、吹出口にもネットフィルターを磁力で強固に取り付け、塵、菌、虫の侵入を防止することを提案する。
【０００４】
また、空気中の微粒子を減らすため、空気の吸込み口に、プレフィルターより目の細かいフィルターを追加で装着する方法も提案されるが、これも特許文献１に記載の考案と同様のものといえる。
【０００５】
更に、特許文献２に記載の発明は、複数個の連通孔を有するフィルター基材の少なくとも開口部以外の表面に粘着性物質と抗アレルゲン剤とを付着させてなることを特徴とする抗アレルゲンフィルターを提案する。この方法によれば、空気の取り込み時にフィルターの目と粘着効果とによって汚れを捕集するため、フィルターの目を粗くすることでエアコンへの負担や空調効率の低下を抑えつつ、粘着効果で微粒子の捕集が可能であるため、吹き出す空気中の微粒子を低減し、エアコン内部への汚れの付着を抑制することができるとする。
【先行技術文献】
【特許文献】
【０００６】
【特許文献１】登録実用新案第３２２１６８３号公報
【特許文献２】特開第２００１−２６９５１８号公報
【考案の概要】
【考案が解決しようとする課題】
【０００７】
しかしながら、特許文献１に記載の考案は、フィルターの目を細かくするほど空気の通りが悪くなり、エアコンから吹き出す風が弱くなったり、モーターへの負担が大きくなったりするため、空調効率の悪化やエアコン自体の故障の原因ともなる。逆に、フィルターの目を大きくすれば、エアコンへの負担は抑えられるものの、負担がなくなることはない上に細菌を含んだ微粒子や花粉などの微粒子の捕集は一層困難になる。
【０００８】
また、特許文献２に記載の発明は、フィルターの目を細かくしなくても開口部から侵入する微細な粉塵を粘着することができるが、粘着性を有したフィルターには、汚れが早く溜まる事になり、汚れにより目詰まりが生じると、エアコンの風が弱くなって効きが悪くなり、消費電力が増えるほか、内部結露やモーターへの負担によって、エアコン室内機からの水漏れや、故障の原因にもなる。
【０００９】
そこで、本開示は、簡易な構成でエアコンから吹き出される気流中の細菌を含んだ微粒子や花粉などの微粒子を捕集して、室内に拡散する空気の汚れを低減し、かつ、エアコンへの負担のない微粒子除去装置を提供することを課題とする。
【課題を解決するための手段】
【００１０】
上記課題を解決するために、請求項１に記載の考案は、表面に粘着層を有する粒子捕集基材と、ステー部と、前記粒子捕集基材をステー部を介してエアコンの吹出口の近傍に定置するよう前記エアコンに固着可能なベース部とからなり、前記ステー部は、一端において前記微粒子捕集基材を軸支し、他端において前記ベース部を軸支することを特徴とする。
【００１１】
請求項２に記載の考案は、前記微粒子捕集基材を担持し、前記吹出口から吹き出される気流の風向を調整する風向調整板を更に備え、前記ステー部は、一端において前記風向調整板を軸支し、他端において前記ベース部を軸支することを特徴とする。
【００１２】
請求項３に記載の考案は、前記ステー部と前記ベース部との軸支部は、回動抑制構造を有することを特徴とする。
【００１３】
請求項４に記載の考案は、前記微粒子捕集基材は、前記エアコンの既設のフラップに設置することを特徴とする。
【考案の効果】
【００１４】
請求項１の考案によれば、エアコンの吹出口から吹き出された気流が、前記吹出口の近傍に設けられた前記微粒子捕集基材の外周面に沿って流れる際に、前記外周面に塗布された粘着剤が吹出口から吹き出された気流に含まれる細菌を含んだ微粒子や花粉などの微粒子を捕集することができる。
【００１５】
請求項２の考案によれば、前記微粒子捕集基材を担持し、前記吹出口から吹き出される気流の風向を調整する風向調整板を更に備えることにより、前記エアコンの吹出口から吹き出される気流中の細菌を含んだ微粒子や花粉などの微粒子を捕集することができるとともに、気流の風向を変えることができる。
【００１６】
請求項３に記載の考案は、前記ステー部と前記ベース部とが、回動抑制構造を有する構造で軸支されることで、前記微粒子捕集基材及びそれを担持する前記風向調整板の面積が増した場合でも前記風向調整板が自らの重さで下垂することなく、前記エアコンの吹出口から吹き出された気流と前記微粒子捕集基材及び前記風向調整板との角度を適切に維持できる。
【００１７】
請求項４の考案によれば、前記エアコンの既設のフラップに前記微粒子捕集基材を設置することで、簡便に、既設のエアコンに微粒子除去装置の機能を付加させることができる。
【図面の簡単な説明】
【００１８】
【図１】エアコン（天井埋込型）の内部構造を表す概念図である。
【図２】本考案の実施例１のエアコン（天井埋込型）の微粒子除去装置の概念図（側面）である。
【図３】本考案の実施例２のエアコンの微粒子除去装置（貼付型）の斜視図である。
【図４】本考案の実施例２のエアコンの微粒子除去装置（貼付型）の概念図である。
【図５】本考案の実施例２のエアコン（天井埋込型）の微粒子除去装置（貼付型）の概念図（側面）である。
【図６】本考案の実施例２のエアコン（天井埋込型）の微粒子除去装置（引っ掛け型）の側面図である。
【図７】本考案の実施例２のエアコン（壁掛け型）の微粒子除去装置（貼付型）の概念図（側面）である。
【図８】本考案の実施例２のエアコン（天井埋込型）の微粒子除去装置（貼付型）の微粒子捕集実験を示す概念図（側面）である。
【図９】本考案の実施例２のエアコン（天井埋込型）の微粒子除去装置（貼付型）の微粒子捕集実験によって捕集した微粒子を示す写真である。
【図１０】本考案の実施例３のエアコンの微粒子除去装置（貼付型）の概念図である。
【図１１】本考案の実施例４のエアコンの微粒子除去装置（貼付型）の概念図である。
【図１２】本考案の実施例４のエアコン（天井埋込型）の微粒子除去装置（貼付型）の概念図（側面）である。
【図１３】本考案の実施例５のエアコン（天井埋込型）の微粒子除去装置の概念図（側面）である。
【図１４】本考案の実施例５のエアコン（天井埋込型）の微粒子除去装置の斜視図である。
【考案を実施するための形態】
【００１９】
以下、本考案の好ましい実施形態について図面を参照して説明する。
【００２０】
＜実施例１＞
実施例１のエアコンＡの微粒子除去装置１は、図２に示すとおり、表面に粘着層３を有する微粒子捕集基材２と、ステー部４と、微粒子捕集基材２をステー部４を介してエアコンＡの吹出口Ｂの近傍に定置するようエアコンＡに固着可能なベース部７とからなり、ステー部４は、一端において微粒子捕集基材２を軸支し、他端においてベース部７を軸支する。以下、各構成を詳細に説明する。
【００２１】
図２に示すとおり、微粒子捕集基材２がステー部４を経由してベース部７によりエアコンＡに固定される。微粒子捕集基材２の形状は、断面形状が楕円形の柱で、楕円形の長軸の長さは、１０〜３００ｍｍの範囲を例示できる。長軸の長さが１０ｍｍ未満であると微粒子捕集基材２の表面に塗布する粘着剤の量が微粒子を捕集するのに十分でなく、３００ｍｍを超えると吹出口Ｂから離れた微粒子捕集基材２の粘着層３で気流の乱れが発生しやすく、捕集能力が低下する。また、短軸の長さが１０ｍｍを超えると吹出口Ｂから吹き出される気流Ｃの流れを阻害し、エアコンＡからの気流Ｃが室内に行き渡らない。微粒子捕集基材２の形状は、楕円柱に限定されず、円柱であっても、角柱であってもよい。微粒子捕集基材２の横幅の寸法は、前記吹出口の横幅の寸法の範囲内であることが好ましい。微粒子捕集基材２の素材は、スポンジ、紙、木、金属など軽量なものが好ましいが、これらに限定されない。
【００２２】
微粒子捕集基材２の粘着層３は、粘着剤を直接、微粒子捕集基材２に塗布して形成するか、粘着剤を塗布したシートで微粒子捕集基材２を覆って形成する。ここで「粘着」とは、水、溶剤、熱などを使用せずに、常温で短時間、僅かな圧力を加えるだけで接着することをいう。使用される粘着剤は、特に限定はなく、ゴム系粘着剤（天然ゴム、ＳＢＲ、再生ゴム、ポリイソブチレン、ブロックゴム系）、アクリル系粘着剤（架橋型、非架橋型、水溶性）、シリコーン粘着剤であってもよい。
【００２３】
粘着剤の粘度は、目的に合わせて変更できる。捕集する粒子を細菌を含んだ微粒子ｄや花粉などの微粒子ｄに特化する場合は、微粘着の粘着剤が好ましい。微粘着の粘着剤が使用された微粒子捕集基材２は、使用による性能の劣化による交換頻度を少なくすることができる。比較的大きな径の粒子Ｐまで捕集する場合は、粘度の高い粘着剤が好ましい。
【００２４】
図２に示すとおり、微粒子捕集基材２は、軸支部６でステー部４と軸支し、ステー部４は、反対側の端部に備える軸支部５でベース部７と軸支する。ステー部４は、長さが、４０〜１００ｍｍの平板が好ましい。ベース部７は、エアコンＡに微粒子除去装置１を固定する。軸支部５により回動可能なステー部４を回動させて微粒子捕集基材２を吹出口Ｂ近傍の所望の位置に配置できる。
【００２５】
図２に示すとおり、微粒子捕集基材２は、エアコンＡの吹出口Ｂ近傍に配置されるが、吹出口Ｂから吹き出される気流Ｃを、吹出口を覆うフィルターのように遮ることなく、微粒子捕集基材２の外面に沿って滞りなく流すことができるため、微粒子捕集基材２をエアコンＡの吹出口Ｂ近傍に配置しても、エアコンＡのファンなどの機器に負荷をかけることがない。
【００２６】
＜実施例２＞
実施例２のエアコンＡの微粒子除去装置１０１は、図３〜図７に示すとおり、実施例１の構成に加えて、微粒子捕集基材１０２を担持し、吹出口Ｂから吹き出される気流Ｃの風向を調整する風向調整板１０８を更に備える。ベース部１０７とステー部１０４とは軸支部１０５で、風向調整板１０８とステー部１０４とは軸支部１０６で軸支される。実施例１と同様な構成については図示及び説明を援用する（実施例３〜４においても同じ。）。
【００２７】
風向調整板１０８は、矩形形状の平板を例示できる。平板の横幅の寸法は、特に制約はないが、吹出口Ｂの横幅の寸法とエアコンＡの横幅の寸法の範囲内であることが好ましい。吹出口Ｂの横幅の寸法未満であると風向調整板１０８による吹出口Ｂからの気流Ｃの風向の調整と気流Ｃに含まれる微粒子ｄを捕集する機能が発揮できない可能性がある。また、エアコンＡの横幅の寸法より大きいと取扱いに不便である。風向調整板１０８の形状は、矩形形状に限らず、楕円、扇型等であってもよく、平板に限らず、突起があってもよく、流線型等の形状であってもよい。
【００２８】
ベース部１０７とステー部１０４とは軸支部１０５で、風向調整板１０８とステー部１０４とは軸支部１０６で軸支されることにより、風向調整板１０８を所望の角度に固定できる。
【００２９】
風向調整板１０８は、図３、４に示すとおり、突起があってもよく、矩形形状の平板の横幅方向の両端及び中央にリブが立設する場合を例示できる。前記中央に立設するリブは、ステー部１０４を所望の位置に軸支するため、ステー部１０４の突出部が挿通可能な３つの軸受けと、ステー部１０４を所望の角度で螺着可能な波状の長孔とを備える。前記平板の両端に立設するリブは、風向調整板１０８を構成するユニットＵを左右方向に螺着して風向調整板１０８を形成できる。
【００３０】
ベース部１０７とステー部１０４との連結部である軸支部１０５は、重量物に対して下垂しない構造が好ましい。一例としてスプライン連結構造を例示できる。スプライン連結構造とは、凸部をもつ軸と連結するもう一方の軸の穴に，凸部の形状に合わせて削り込まれた溝を持つ構造のことをいい、ベース部１０７によりエアコンＡに固定された風向調整板１０８及び微粒子捕集基材１０２を安定した姿勢に保持する。
【００３１】
ベース部１０７とステー部１０４との連結部である軸支部１０５は、スプライン連結構造に限らず、所定の角度ごとにベース部１０７とステー部１０４とを歯車などで嵌合させる構造や、ストッパーを設けて下垂を防ぐ構造であってもよい。
【００３２】
風向調整板１０８及び微粒子捕集基材１０２をエアコンＡに固定するベース部１０７は、図５に示すとおり、エアコンＡに接着してもよいが、これに限定されず、図６に示すとおり、エアコンＡに引っ掛けて固定してもよい。
【００３３】
図４、図５、図７に示すとおり、エアコンＡの吹出口Ｂから吹き出される気流Ｃは、風向調整板１０８により、気流Ｃの風向が変えられ、気流Ｃは部屋の隅々に偏りなく行き渡る。同時に、気流Ｃが風向調整板１０８に担持された微粒子捕集基材１０２の粘着剤を塗布された粘着層１０３に接する際に、気流Ｃ中の細菌を含んだ微粒子ｄや花粉などの微粒子ｄが粘着層１０３に捕集される。
【００３４】
微粒子捕集基材１０２は、シートでもよく、素材は、繊維に規則性が無く、多層で汚れを捕らえることができる不織布シートが好ましいが、これに限定されず、プラスチックシートや布シートでもよい。
【００３５】
微粒子捕集基材１０２の装着方法は、風向調整板１０８の構造に合わせて選択するが、利用者が容易に交換できれば良く、貼り付け式でも良いし、はめ込み式やその他の方法であっても良い。
【００３６】
図４、図５、図７に示すとおり、エアコンＡの吹出口Ｂから吹き出される気流Ｃは、風向調整板１０８及び微粒子捕集基材１０２を通過する際に、吹出口を覆うフィルターを通過する際のような抵抗を受けない。このため、図１示すとおり、エアコンＡのファンなどに負荷をかけることなく、室内を循環する気流Ｃから、微粒子ｄを減らすことができる。
【００３７】
図８に示すとおり、エアコンＡの吹出口Ｂから吹き出される気流Ｃが微粒子捕集基材１０２の粘着剤を塗布された粘着層１０３を通過する際に、気流Ｃ中に含まれる微粒子ｄを捕集する割合を実験で確認した。
【００３８】
確認の方法は、先ず、図４に示すとおり、直径８５ｍｍのシート状のポリエステル製不織布に接着剤を塗布した微粒子捕集基材１０２を４枚貼付した風向調整板１０８を準備し、４か所あるエアコンＡ（図１４参照）の吹出口Ｂのうち１か所に微粒子捕集基材１０２を４枚貼付した風向調整板１０８を設置した。設置した風向調整板１０８は横幅５２０ｍｍ、奥行き１３０ｍｍで、図４に示すとおり、各区画に１枚ずつ微粒子捕集基材１０２を貼付した。各区画の中央に貼り付けた４枚の微粒子捕集基材１０２の範囲は、横幅４７５ｍｍ、奥行き８５ｍｍの範囲となる。
【００３９】
次に、図８に示すとおり、エアコンＡの吹出口Ｂから吹き出される気流Ｃ中の微粒子ｄの捕集率を調べるため、風向調整板１０８の前方を貼付した微粒子捕集基材１０２と同じシート（以下「通過フィルター」という。）で覆った。
【００４０】
次に、エアコンＡの吹出口Ｂから吹き出される気流Ｃが風向調整板１０８及び微粒子捕集基材１０２に当たる角度によっても数量が変わる可能性があるため、微粒子ｄを捕集する平均値を調べることとし、エアコンＡの吹出口Ｂをスイング運転（風向の上下が定期的に切り替わる）で、風量は弱・強・急のうち強で運転して、捕集した微粒子ｄの数を確認した。
【００４１】
１日１０時間、１か月間運転した後に、微粒子捕集基材１０２の粘着層１０３を顕微鏡で観察し（図９（Ａ）は実験前の粘着層１０３の状態を表し、図９（Ｂ）は実験後の粘着層１０３の状態を表す。）、視認できた微粒子ｄの個数の面積当たりの平均値を微粒子捕集基材１０２の面積に換算すると、付着した微粒子ｄの数は、３１７，５７８であった（吹き出し口一か所（図１４参照））。また、取りこぼした微粒子ｄを通過フィルターで捕らえ、同様に換算すると、１，７８０，２９７であった（吹き出し口一か所（図１４参照））
【００４２】
上記の結果から、捕集率は１５％であったが、捕集率はシートのサイズに比例して高めることができる。なお上記確認作業では、微粒子捕集基材１０２と通過フィルターとの間で空気が循環して微粒子捕集基材１０２に付着する微粒子ｄの数量が多くなる可能性が考えられため、追加の実験として、通過フィルターを装着せずに５日間、同様の作業を行ったところ微粒子捕集基材１０２及び粘着層１０３に付着した微粒子ｄの数は、７５，０１８であり、１か月間に換算すると、当初の確認作業時に微粒子捕集基材１０２及び粘着層１０３に付着した微粒子ｄの数と同等以上であったことから、通過フィルターの設置が、微粒子捕集基材１０２及び粘着層１０３に付着する微粒子ｄの数に影響していないことが確認できた。
【００４３】
捕集した微粒子ｄのサイズは、図９のとおり、直径０．０２５ｍｍ以下であった。
【００４４】
＜実施例３＞
実施例３のエアコンＡの微粒子除去装置２０１は、図１０に示すとおり、実施例２の構成中、風向調整板２０８の奥行の寸法をエアコンＡの吹出口Ｂからの気流Ｃの風向に拡張したものである。実施例２の微粒子捕集実験において、微粒子捕集基材２０２の面積に比例して捕集できる微粒子ｄの数が増加することが確認できたため、微粒子捕集基材２０２の面積を拡張し、これに合わせて微粒子捕集基材２０２を担持する風向調整板２０８の奥行の寸法を拡張したものである。
【００４５】
風向調整板２０８は、矩形形状の平板を例示できる。平板の横幅の寸法は特に制約はないが、吹出口Ｂの横幅の寸法とエアコンＡの横幅の寸法の範囲内であることが好ましく、横幅は５２０ｍｍを、また奥行きは３００ｍｍを例示できる。これにより担持できる微粒子捕集基材２０２の面積を拡張することができる。微粒子捕集基材２０２の拡張面積に比例して捕集できる微粒子ｄの数を増加させることができる。風向調整板２０８の形状及び寸法は、例示の場合に限定されない。
【００４６】
一方で、風向調整板２０８の重量が増すことにより、風向調整板２０８を下垂させる力がベース部２０７及びステー部２０４に働くが、軸支部２０５の構造をスプライン連結構造や、所定の角度ごとにベース部２０７とステー部２０４とを歯車などで嵌合させる構造とすることにより、風向調整板２０８の下垂を防ぐことができる。
【００４７】
＜実施例４＞
実施例４のエアコンＡの微粒子除去装置３０１は、図１１、図１２に示すとおり、実施例２の構成中、風向調整板３０８を２枚とすることで、微粒子捕集基材３０２及び粘着層３０３の面積を拡張する場合を例示する。微粒子捕集基材３０２及び粘着層３０３を風向調整板３０８の表裏に設けることができるため、エアコンＡの吹出口Ｂからの気流Ｃが２枚の風向調整板３０８の間を通過する間に微粒子ｄを効率よく捕集することができ、捕集能力を大幅に高めることができる。風向調整板３０８の枚数は２枚に限らず、それ以上であっても良い。
【００４８】
風向調整板３０８は、矩形形状の平板を例示できる。平板の横幅の寸法は特に制約はないが、吹出口Ｂの横幅の寸法とエアコンＡの横幅の寸法の範囲内であることが好ましく、横幅は５２０ｍｍを、また奥行きは１５０ｍｍを例示できる。風向調整板３０８の形状及び寸法は、例示の場合に限定されない。
【００４９】
一方で、風向調整板３０８の枚数が２枚以上となることで、風向調整板３０８の重量が増し、風向調整板３０８を下垂させる力がベース部３０７及びステー部３０４に働くが、軸支部３０５の構造をスプライン連結構造や、所定の角度ごとにベース部３０７とステー部３０４とを歯車などで嵌合させる構造とすることにより、風向調整板３０８の下垂を防ぐことができる。
【００５０】
＜実施例５＞
実施例５のエアコンＡの微粒子除去装置４０１は、図１３、図１４に示すとおり、実施例２の構成中、風向調整板４０８をエアコンＡの既設のフラップＦＬに両面クリップなどで取り付けることで、簡易な構成でエアコンＡの微粒子除去装置４０１を設けるものである。微粒子捕集基材４０２及び粘着層４０３を風向調整板４０８の表裏に設けることができるため、エアコンＡの吹出口Ｂからの気流Ｃが風向調整板４０８の表裏を通過する際に微粒子ｄを効率よく捕集することができる。
【００５１】
以下、実施例１〜５のエアコンＡの微粒子除去装置の使用方法と作用効果の一例について図面を参照し具体的に説明する。
【００５２】
従来のエアコンの微粒子除去装置は、図１に示すとおり、エアコンの吹き出し口から吹き出された気流とともに排出される埃による室内の壁やエアコンの内部機構の汚れを防ぐ目的でエアコンの吸気側にプレフィルターを設けるものであった。このため、プレフィルターの目は粗く、細菌を含んだ微粒子ｄや花粉などの微粒子ｄを捕集することは困難であった。
【００５３】
そこで、本考案では、エアコンＡの吹出口Ｂから吹き出された気流Ｃ中の細菌を含んだ微粒子ｄや花粉などの微粒子ｄを捕集して部屋に拡散する空気の汚れを低減し、かつ、エアコンＡへの負担のない吹出口Ｂの側での汚れの捕集方法を実施例１〜５のとおり開示する。
【００５４】
＜実施例１＞
実施例１のエアコンＡの微粒子除去装置１は、図２に示すとおり、ベース部７をエアコンＡに固定し、ステー部４を経由して粘着剤が塗布された粘着層３を有する微粒子捕集基材２をエアコンＡの吹出口Ｂの近傍に設置する。
【００５５】
ステー部４の軸支部５を回動させて、吹出口Ｂから吹き出される気流Ｃに最もよく当たる位置に微粒子捕集基材２を定置する。
【００５６】
粘着層３を形成する粘着剤の粘度は、捕集する粒子が細菌を含んだ微粒子ｄや花粉などの微粒子ｄを捕集する場合は、微粘着性の粘着剤を選択する。比較的大きな径の粒子Ｐまで捕集する場合には、粘度の高い粘着剤を選択する。
【００５７】
図１、図２に示すとおり、エアコンＡの吹出口Ｂの近傍に定置された微粒子捕集基材２は、吹出口を覆うフィルターのように気流Ｃを遮ることがないため、エアコンＡのファンなどの機器に負荷をかけることがない。
【００５８】
＜実施例２＞
実施例２のエアコンＡの微粒子除去装置１０１は、図４、図５、図７に示すとおり、エアコンＡに、吹出口Ｂから吹き出される気流Ｃの風向を変えるための風向調整板１０８を装着し、風向調整板１０８に担持された微粒子捕集基材１０２の粘着層１０３で、気流Ｃ中の細菌を含んだ微粒子ｄや花粉などの微粒子ｄを捕集することができる。これにより室内には微粒子ｄの低減した空気が送られ、室内の衛生環境を改善できる。
【００５９】
また、風向調整板１０８は、エアコンＡの吹出口Ｂから吹き出される気流Ｃを室内に満遍なく行き渡らせることができ、夏季に多い冷房病の予防にもなる。冷房病は、エアコンＡの吹出口Ｂから吹き出される気流Ｃが直接人体に当たり、体温が急速に奪われることから生じる。このため、気流Ｃの向きをコントロールして、吹き出す冷気が直接人体に当たらないようにすることで予防ができる。
【００６０】
風向調整板１０８は、既設のエアコンＡに後付けで装着する。エアコンＡへの取り付けは、ベース部１０７をエアコンＡの外装に貼付し（図５、図７）、又は引っ掛けて（図６）固定する。図５、図６、図７に示すとおり、ベース部１０７をエアコンＡの外装に固定した後、ベース部１０７と風向調整板１０８とを軸支するステー部１０４の軸支部１０５及び軸支部１０６を回動させることで、エアコンＡの吹出口Ｂから吹き出される気流Ｃを風向調整板１０８に当て、気流Ｃの向きを好みの方向に変更することができる。風向調整板１０８の角度を自由に変更することで、微粒子ｄが除去された空気を直接人体に当てることなく、部屋に満遍なく行き渡らせることができ、室内の空気環境の清浄と冷房病予防に寄与できる。
【００６１】
風向調整板１０８は、図３、４に示すとおり、一枚の平板ではなく、複数のユニットＵを結合したものとして構成できる。風向調整板１０８のユニットＵの両端に立設するリブは、風向調整板１０８を構成するユニットを左右方向に螺着して風向調整板１０８を形成可能である。ユニットＵを連結すれば、機種により寸法が異なるエアコンＡの吹出口Ｂの横幅に容易に対応できる。
【００６２】
＜実施例３＞
実施例３のエアコンＡの微粒子除去装置２０１は、図１０に示すとおり、面積が拡大された風向調整板２０８を装着し、それに伴い面積が拡大された微粒子捕集基材２０２の粘着層２０３で、気流Ｃ中の細菌を含んだ微粒子ｄや花粉などの微粒子ｄを捕集することができる。実施例２における実験による確認からも微粒子捕集基材２０２の粘着層２０３の面積に比例して、捕集する細菌を含んだ微粒子ｄや花粉などの微粒子ｄが増加することが分かっている。
【００６３】
風向調整板２０８の重量の増加には、軸支部２０５の構造をスプライン連結構造や、所定の角度ごとにベース部２０７とステー部２０４とを歯車などで嵌合させる構造とすることにより、風向調整板２０８の下垂に対応できる。
【００６４】
＜実施例４＞
実施例４のエアコンＡの微粒子除去装置３０１は、図１１、図１２に示すとおり、風向調整板３０８を２枚とすることで、エアコンＡの吹出口Ｂからの気流Ｃが２枚の風向調整板３０８を通過する間に風向調整板３０８の表裏に設けられた微粒子捕集基材３０２及び粘着層３０３により、気流Ｃ中の細菌を含んだ微粒子ｄや花粉などの微粒子ｄを効率よく捕集することができる（図１２）。風向調整板３０８の枚数が２枚以上であっても良く、その場合にはさらに多くの微粒子ｄを捕集することができる。
【００６５】
風向調整板３０８の枚数が２枚以上となることによる風向調整板３０８の重量の増加には、軸支部３０５の構造をスプライン連結構造や、所定の角度ごとにベース部３０７とステー部３０４とを歯車などで嵌合させる構造とすることにより、風向調整板３０８の下垂に対応できる。
【００６６】
＜実施例５＞
実施例５のエアコンＡの微粒子除去装置４０１は、図１３、図１４に示すとおり、風向調整板４０８をエアコンＡの既設のフラップＦＬに取り付ける。取り付け手段は、両面クリップを例示できるが、それに限定されない。接合金具等で螺着してもよい。
【００６７】
エアコンＡの既設のフラップＦＬに取り付けた風向調整板４０８が、フラップＦＬの動きに連動して動くため、風向調整板４０８の角度調整は不要である。また、図１３、図１４のとおり、風向調整板４０８の表裏に微粒子捕集基材４０２及び粘着層４０３を設けることができるため、エアコンＡの吹出口Ｂからの気流Ｃが風向調整板４０８の表裏両面を通過する際に微粒子ｄを効率よく捕集することができる。
【００６８】
以上、本考案は上記実施例に限定されるものではなく、本考案の技術的範囲に属する限り種々の形態を採り得るものである。また、本考案の技術的思想を逸脱しない範囲において、改変等を加えることができるものであり、それらの改変、均等物等も本考案の技術的範囲に含まれる。
【産業上の利用可能性】
【００６９】
本考案は、簡易な構成で空調風中の細菌を含んだ微粒子ｄや花粉などの微粒子ｄを捕集して部屋に拡散する空気の汚れを低減し、かつ、エアコンへの負担のない微粒子除去装置を提供するもので、その工業的利用価値は大である。
【符号の説明】
【００７０】
１、１０１、２０１、３０１、４０１・・・エアコンの微粒子除去装置
２、１０２、２０２、３０２、４０２・・・微粒子捕集基材
３、１０３、２０３、３０３、４０３・・・微粒子捕集基材の粘着層
４、１０４、２０４、３０４・・・ステー部
５、１０５、２０５、３０５・・・ベース部とステー部の軸支部
６、１０６、２０６、３０６・・・微粒子捕集基材又は風向調整板とステー部の軸支部
７、１０７、２０７、３０７・・・ベース部
１０８、２０８、３０８、４０８・・・風向調整板
Ａ・・・エアコン
Ｂ・・・吹出口
Ｃ・・・気流
Ｗ・・・天井又は壁
Ｈ・・・熱交換器
ＦＡＮ・・・ファン
ｄ・・・微粒子
Ｐ・・・粒子
Ｕ・・・ユニット
ＦＬ・・・フラップ
ＣＬ・・・バネクリップ
【図１】
0003228268.tif 000003
【図２】
0003228268.tif 000004
【図３】
0003228268.tif 000005
【図４】
0003228268.tif 000006
【図５】
0003228268.tif 000007
【図６】
0003228268.tif 000008
【図７】
0003228268.tif 000009
【図８】
0003228268.tif 000010
【図９】
0003228268.tif 000011
【図１０】
0003228268.tif 000012
【図１１】
0003228268.tif 000013
【図１２】
0003228268.tif 000014
【図１３】
0003228268.tif 000015
【図１４】
0003228268.tif 000016
【手続補正書】
【提出日】令和2年7月22日(2020.7.22)
【手続補正１】
【補正対象書類名】実用新案登録請求の範囲
【補正対象項目名】請求項４
【補正方法】変更
【補正の内容】
【請求項４】
表面に粘着層を有する微粒子捕集基材を、エアコンの既設のフラップに設置することを特徴とするエアコンの微粒子除去装置。